(57)【特許請求の範囲】
【請求項１】
ギターのネックボディ接合装置であって、
ネックの側面に蟻溝が形成されたネック基端部と、
ネック基端部の蟻溝と相補的な蟻溝が形成されたボディのネック受容部と、
ネック基端部とネック受容部の接合強度を確保する金属製の留め具と、を備え、
留め具は一本の留めボルト構造であり、ネック基端部とネック受容部との間の接合度を調整してトーンをコントロール可能であるギターのネックボディ接合装置。
【請求項２】
ボディの形状に合わせて、ネック基端部の左側面に形成される蟻溝とネック基端部の右側面に形成される蟻溝とが異なり、非対称である、請求項１に記載のギターのネックボディ接合装置。
【請求項３】
ネックは、ネック基端部にヒールがなく、全体として直線形状である、請求項１または２に記載のギターのネックボディ接合装置。
【請求項４】
ネック基端部のネック裏面には、留めボルトと螺合する金属製の雌螺子が形成されている請求項１に記載のギターのネックボディ接合装置。
【請求項５】
留め具は、留めボルトの座面とネック受容部の締め付け面の間に差し込まれる金属プレートを有し、ネック受容部の締め付け面はボディの裏面に形成される請求項１または４に記載のギターのネックボディ接合装置。
【請求項６】
金属プレートは、環状である請求項５に記載のギターのネックボディ接合装置。
【請求項７】
留め具のために複数の種類の金属プレートが用意され、トーンコントロール部品として交換可能に使用される、請求項５または６に記載のギターのネックボディ接合装置。
【発明の詳細な説明】
【技術分野】
【０００１】
本発明は、ギターに関し、特に、ギターのネックとボディを接合する構造である、ギターのネックボディ接合装置に関するものである。
【背景技術】
【０００２】
従来から、ギターのネックとボディを接合するネックボディ接合装置は知られている。ボルトオン型と呼ばれるネックボディ接合装置は、複数のボルトを締め付けることにより、ネックとボディを接合する。一般に、この接合作業は、ギターの製造工程で行われる。楽器としての要請から、ギターのネックボディ接合装置では、張弦に対してネックボディ間の接合位置がずれないことが要求される。すなわち、ネック表面（フィンガーボード）上に張られる弦の張力より、ボディに対してネック先端に上向きの力が作用するため、ネックとボディとの接合位置がずれやすい。これを防止するために、ボルトオン型のネックボディ接合装置では、複数の位置でボルトを締め付けることが一般に要求されている。
【０００３】
したがって、部品点数が少なく、接合位置を確実に維持できるギターのネックボディ接合構造のニーズがある。
【先行技術文献】
【特許文献】
【０００４】
【特許文献１】実公平５−１６６７４号公報
【特許文献２】特開２０１１−９５７４７号公報
【発明の概要】
【発明が解決しようとする課題】
【０００５】
したがって、この発明は、新規で改良されたギターのネックボディ接合装置を提供することを目的とし、特に、構造が簡単で、張弦に対しても接合位置を維持できるギターのネックボディ接合構造を提供することを具体的な目的としている。
【課題を解決するための手段】
【０００６】
本発明の一側面によれば、ギターのネックボディ接合装置であって、ネックの側面に蟻溝が形成されたネック基端部と、ネック基端部の蟻溝と相補的な蟻溝が形成されたボディのネック受容部とを備えるギターのネックボディ接合装置が提供される。
【０００７】
この構成によれば、ネック基端部の蟻溝とボディ側のネック受容部の蟻溝とが蟻継ぎ手として接合されるため、接合力が確保されるとともに、張弦に対しても接合位置を維持できる。また、ネック側の蟻溝は、ネック基端部の「ネック側面」に形成されるため、ネック基端部にヒールは不要であり、ネックは全体として直線状に形成することが容易となる。その結果、電気ギターなどの薄型のギターに適用するのに適している。
【０００８】
本発明の他の側面によれば、上記構成に加えて、金属製の留め具を備え、留め具は一本の留めボルト構造であり、ネック基端部とネック受容部との間の接合度を調整してトーンをコントロール可能である、ギターのネックボディ接合装置が提供される。
【０００９】
この構成によれば、留め具は一本の留めボルトを使用する構造であるため、留めボルトの締め具合によって、ネック基端部とネック受容部との間の接合度を調整することが容易であり、それによって、ギターの発生するトーンを調整できる。したがって、ギター演奏者は、演奏に先立って、演奏に合わせた適切なトーンが得られるように留めボルトの締め具合を調節することができる。したがって、この装置によれば、単一のボルトの締め具合で、ネックとボディの接合度合と発生するトーンを同時に調整することができる。
【００１０】
本発明の上記目的、その他の目的、利点は図面を参照してなされる以下の説明から明らかになる。
【図面の簡単な説明】
【００１１】
【図１】実施形態に係る側面蟻溝型のネックボディ接合装置が組み込まれるギターのネックとボディを取り外した状態を示す図である。
【図２】実施形態に係る側面蟻溝型のネックボディ接合装置において使用されるネックの左右の側面図を示す。
【図３】実施形態において使用されるネックの端面を示す図である。
【図４】実施形態において使用されるボディの端面を示す図である。
【図５】実施形態において使用されるボディの平面図である。
【図６】実施形態において使用されるトーンコントロール可能な留め具を示す図である。
【発明を実施するための形態】
【００１２】
以下、図面を参照して本発明の実施形態を説明する。図１に実施形態に係るギターのネックボディ接合装置が組み込まれるギターの全体図を示す。図1では、ギターのネック１０とボディ３０とを接合する前の状態を示している。
【００１３】
実施形態に係るギターのネックボディ接合装置は、側面蟻溝型のネックボディ接合装置である。ネック１０のうち、ネック基端部２０がボディ３０との接合に使用される。ネック基端部２０には、ネック１０の側面１６に蟻溝２２が形成される。実施形態に基づいて、ネック側面１６に蟻溝が形成されることから、本ネックボディ接合装置を側面蟻溝型と呼んでいる。これに対して、ボディ３０のうち、ネック受容部４０がネックとの接合に使用される。ネック受容部４０には、ネック基端部２０の蟻溝２２と相補的な蟻溝４２が形成されている。このようにネックボディ接合装置を側面蟻溝型で構成することにより、張弦に対してもネックとボディの接合位置関係が保たれ、弦楽器としてのギターの要請を充足する。
【００１４】
また、実施形態に係るギターのネックボディ接合装置は、好適には、一本の留めボルトを使用する構造の留め具５０により、ネックとボディ間の接合度、したがってギターから発生するトーンを簡単に調整することができる。
【００１５】
ネック１０とネック基端部２０を示す図２、図３において、参照番号１２はネック本体、１４はネックの表面に形成されるフィンガーボード（指板）、１６はネック側面、１８はネック裏面を表わしている。図２は上側にネックの左側面１６Ｌを下側にネックの右側面１６Ｒを示したものであり、図３はネック基端部２０側から見たネック１０の端面図を示したものである。ネック基端部２０のネック側面１６に形成される蟻溝２２は左側（図２の上側参照）と右側（図２の下側参照）とで異なっており、非対称になっている。これは、ボディ３０の形状（図１、図４参照）に配慮したものである。
【００１６】
ネック基端部２０のネック裏面１８には、後述する留め具に関係して、開口２４が形成され、そこに、留めボルトと螺合する金属の雌螺子２６が設けられている。
【００１７】
図４にボディ３０をネック受容部４０の側から見た端面図を示し、図５にボディ３０を表側から見た平面図を示す。図３に示すネック基端部２０と図４に示すネック受容部４０との比較から分かるように、ネック受容部４０のボディ表面３６に形成したネック受入用の凹部４４には、ネック基端部２０の蟻溝２２と相補的な蟻溝４２が形成されている。したがって、蟻溝２２の付いたネック基端部２０をネック受容部４０の蟻溝４２に対して（図１の矢印の方向に）差し込んで嵌め込むことにより、蟻溝２２、４２同士が接合して、ネック１０とボディ３０とが接合される。
【００１８】
ネック受容部４０のボディ裏面３８には、留め具が収納される凹部４６が形成され、その中央部には留め具の留めボルトが通る貫通孔４７が形成されている。留め具収納用凹部４６の形状は、留め具に適合する形状であり、たとえば、円形であってよい。
【００１９】
図６に留め具５０を示す。図６の上部に留め具５０の側面図を、下部に留め具５０の平面図を示してある。実施形態に基づいて、留め具５０は、一本の留めボルト５２（留め螺子）を使用する構造である。また、留め具５０は留めボルト５２を金属プレート５４とともに使用する。留め具５０によりネック１０とボディ３０を螺子接合した状態において、留め具５０は楽音振動の中心位置を占める。このため、留め具５０の重量部品である金属プレート５４をトーンコントロール部品として機能するサイズ、重量のものにしてある。金属プレート５４の形状はネック受容部４０の留め具収納用凹部４６に適合する形状であり、好適には環状ないしワッシャー形状であってよい。たとえば、直径２０〜５０ｍｍ、好適には約３５ｍｍ、厚さ３〜１０ｍｍ、好適には約６ｍｍの環状金属プレートが使用できる。留めボルト５２としては、たとえば、平頭皿螺子で、六角レンチを使って回すスクリュー螺子が使用できる。
【００２０】
以上のように構成した実施形態のネックボディ接合装置において、ネック１０とボディ３０を接合する際には、蟻溝２２の付いたネック基端部２０をネック受容部４０の蟻溝４２に対して嵌め込むことにより、蟻溝２２、４２同士が蟻接合する。このとき、留め具５０に関連して、ネック受容部４０の貫通孔４７はネック基端部２０の雌螺子２６と芯が合っている。そこで、ネック受容部４０の留め具収納用凹部４６に金属プレート５４をセットし、留めボルト５２をねじ込むことにより、留めボルト５２の軸が雌螺子２６と螺合する。このとき金属プレート５４は、凹部４６の底面、すなわちボディ裏面３８に形成された締め付け面４８と留めボルト５２の座面との間に置かれている。留めボルト５２の締め具合によって、ネック１０とボディ３０間の接合力、したがって、剛性が変わる。このため、ギターから発生するトーンを、留め具５０の締め具合によって容易に調節できる。締め付けを強めると、倍音成分が減少し、基音成分が優勢なトーンとなり、締め付けを弱めると、倍音成分が増加する傾向を有する。
【００２１】
したがって、実施形態によれば、演奏に先立って、演奏者は留め具５０の締め具合を調整することにより、ギターから発生するトーンを演奏に適したトーンに調音することができる。
【００２２】
このように、実施形態に係るギターのネックボディ接合装置において、留めボルトの締め具合は、ギターから発生するトーンをコントロールする要素である。
【００２３】
また、留め具５０のトーンコントロール部品である、金属プレート５４の種類（材質、サイズなど）によってもトーンは変化する。
【００２４】
そこで、複数の種類の金属プレート５４を用意しておき、ネック受容部４０に装着された金属プレートを、事前に、演奏に適した金属プレートに交換して使用することができる。たとえば、鉄製の金属プレートを使用した場合、２〜４ｋＨｚ以上の周波数帯が出やすくなり、聴覚上、トレブリーな（高音域が強調された）サウンドが得られる。一方、真鍮製の金属プレートの場合、倍音成分を含みやすく、低音域を引き締め、サステイン（音の伸び）を増す。そして、この傾向は、金属プレートの容積が増すことで、高まる傾向をもつ。
【００２５】
以上のように、実施形態に係るギターのネックボディ接合装置は、側面蟻溝型であるので、側面の蟻合によって一定の接合が確保され、張弦に対してもネックとボディの接合位置関係が保たれる。このため、留め具として複数の留めボルトを使用する構造は不要になる。すなわち、側面蟻溝構造は、張弦に対する接合位置維持機能を有している。
【００２６】
この機能を利用して、実施形態に係るギターのネックボディ接合装置は、留め具として、一本の留めボルト５２（留め螺子）構造を使用する。留めボルトの締め付け具合を調整することで、演奏者はギターから発生するトーンを容易に調音することができる。留め具にトーンコントロール装置の機能を持たせている点で、従来のネックボディ接合装置と一線を画している。
【００２７】
すなわち、複数の留めボルトを使用する従来のネックボディ接合装置は、基本的に、ネックボディ間の接合強度と接合位置関係を確保することを主眼として考案されており、一本の留めボルトでは、必要な接合強度と接合位置を確保することが困難である。
【００２８】
また、実施形態に係るギターのネックボディ接合装置は、トーンコントロール機能を有する金属プレートを留め具の部品として使用しているため、留めボルトの締め具合に応じて、トーンを多様にコントロールできる。また複数の種類の金属プレートを用意しておき、交換して使用することで、調音可能なトーンの範囲を広げることができる。
【００２９】
以上で、実施形態の説明を終えるが、本発明はこれには限定されず、本発明の範囲内で変更が可能である。たとえば、上記実施形態においては、留め具として、一本の留めボルトの構造を使用しているが、所望であれば、複数の留めボルトを使用するものであってもよい。また、三味線などのネックボディ接合装置に適用する場合には、ボルトを使用する留め具を省略することが可能である。
【符号の説明】
【００３０】
１０：ネック
１２：ネック本体
１４：フィンガーボード
１６：ネック側面
１６Ｒ：ネック右側面
１６Ｌ：ネック左側面
１８：ネック裏面
２０：ネック基端部
２２：ネック基端部の蟻溝
２４：開口
２６：雌螺子
３０：ボディ
３６；ボディ表面
３８：ボディ裏面
４０：ネック受容部
４２：ネック受容部の蟻溝
４４：ネック受容部の凹部
４６：留め具収納用凹部
４７：貫通孔
４８：締め付け面
５０：留め具
５２：留めボルト
５４：金属プレート
【図１】
0005879135.tif 000002
【図２】
0005879135.tif 000003
【図３】
0005879135.tif 000004
【図４】
0005879135.tif 000005
【図５】
0005879135.tif 000006
【図６】
0005879135.tif 000007